(57)【特許請求の範囲】
【請求項１】
長辺方向の一方の端辺側に吊り下げ部を有する短冊形台紙の一方の面に、前記一方の端辺側に開口部を有する収納部が前記短冊形台紙の長辺方向に重なることなく連続して複数個設けられている展示販売用吊り下げ容器において、前記収納部が前記短冊形台紙の一方の面に表面板を固定することにより形成され、前記表面板が商品収容部と該商品収容部の下方部に位置する糊付部とを有すると共に前記短冊形台紙に対して前記糊付部で接着して固定され、かつ、前記表面板の前記短冊形台紙の短辺方向の略中央部に前記短冊形台紙の長辺方向に平行な裂け目が形成されていることを特徴とする展示販売用吊り下げ容器。
【請求項２】
長辺方向の一方の端辺側に吊り下げ部を有する短冊形台紙の一方の面に、前記一方の端辺側に開口部を有する収納部が前記短冊形台紙の長辺方向に重なることなく連続して複数個設けられている展示販売用吊り下げ容器において、前記収納部が前記短冊形台紙の一方の面に表面板を固定することにより形成され、前記表面板が商品収容部と該商品収容部の下方部に位置する糊付部とを有すると共に前記短冊形台紙に対して前記糊付部で接着して固定され、かつ、前記表面板の前記短冊形台紙の短辺方向の略中央部に切欠部が形成されていることを特徴とする展示販売用吊り下げ容器。
【請求項３】
前記収納部を形成する前記表面板の前記短冊形台紙の長辺方向の他方の端部側に、前記短冊形台紙の短辺方向に折罫ないし切込線入り折罫が設けられていることを特徴とする請求項１、２のいずれかに記載の展示販売用吊り下げ容器。
【請求項４】
前記展示販売用吊り下げ容器が一枚のブランク板を組み立てることにより形成されていることを特徴とする請求項１〜３のいずれかに記載の展示販売用吊り下げ容器。
【発明の詳細な説明】
【０００１】
【発明の属する技術分野】
本発明は、個装状態の食品や化粧品等を店頭において陳列状態で販売に供するのに使用される展示販売用吊り下げ容器に関するものである。
【０００２】
【従来の技術】
従来、カレンダー貼りディスプレーといわれる展示販売用吊り下げ容器の形態としては、美麗な印刷等が施された板紙等からなる台紙上に、個装状態の食品や化粧品等の商品を１個ずつ粘着テープ等の接着手段を用いて貼着して展示すると共に販売していた。そのため、台紙に商品を１個ずつ貼り陳列状態にするという作業が結構煩雑であると共に、販売時には粘着テープ等の接着手段を用いて台紙上に貼着された商品を台紙から無理に剥がさねばならいといった問題や台紙から剥がした商品を元に戻したいときには、極めて戻し難いといった問題があった。また別の問題として、台紙上に貼着された商品を台紙から無理に剥がすために商品に接着剤が残り、商品が汚れると共に手指等に付着するために購入者に不快感を与えるといった問題もあり、これらの問題を解消したカレンダー貼りディスプレーといわれる形態の展示販売用吊り下げ容器が要望されていた。
【０００３】
【発明が解決しようとする課題】
そこで本発明は、かかる問題点に鑑みてなされたものであり、容易に陳列状態にすることができると共に商品の取り出しや元に戻すことも容易であって、購入者に不快感を与えることもなく、個装状態の食品や化粧品等を店頭において陳列状態で販売することができるカレンダー貼りディスプレーといわれる形態の展示販売用吊り下げ容器を提供することにある。
【０００４】
【課題を解決するための手段】
本発明者等は、上記目的を達成するために、請求項１に記載の発明の展示販売用吊り下げ容器は、長辺方向の一方の端辺側に吊り下げ部を有する短冊形台紙の一方の面に、前記一方の端辺側に開口部を有する収納部が前記短冊形台紙の長辺方向に重なることなく連続して複数個設けられている展示販売用吊り下げ容器において、前記収納部が前記短冊形台紙の一方の面に表面板を固定することにより形成され、前記表面板が商品収容部と該商品収容部の下方部に位置する糊付部とを有すると共に前記短冊形台紙に対して前記糊付部で接着して固定され、かつ、前記表面板の前記短冊形台紙の短辺方向の略中央部に前記短冊形台紙の長辺方向に平行な裂け目が形成されていることを特徴とするものである。このように構成することにより、収納部に商品を入れるだけで容易に陳列状態にすることができると共に商品の取り出しや元に戻すことも容易であって、購入者に不快感を与えることもない。また、商品の補充も容易である。
【０００５】
また、請求項２に記載の発明の展示販売用吊り下げ容器は、長辺方向の一方の端辺側に吊り下げ部を有する短冊形台紙の一方の面に、前記一方の端辺側に開口部を有する収納部が前記短冊形台紙の長辺方向に重なることなく連続して複数個設けられている展示販売用吊り下げ容器において、前記収納部が前記短冊形台紙の一方の面に表面板を固定することにより形成され、前記表面板が商品収容部と該商品収容部の下方部に位置する糊付部とを有すると共に前記短冊形台紙に対して前記糊付部で接着して固定され、かつ、前記表面板の前記短冊形台紙の短辺方向の略中央部に切欠部が形成されていることを特徴とするものであり、このように構成することにより、収納部に商品を入れるだけで容易に陳列状態にすることができると共に商品の取り出しや元に戻すことも容易であって、購入者に不快感を与えることもない。また、商品の補充も容易である。さらに、切欠部により個装状態の商品の中央部を表出させることができる。
【０００６】
また、請求項３に記載の発明は、請求項１、２のいずれかに記載の展示販売用吊り下げ容器において、前記収納部を形成する前記表面板の前記短冊形台紙の長辺方向の他方の端部側に、前記短冊形台紙の短辺方向に折罫ないし切込線入り折罫が設けられていることを特徴とするものである。このように構成することにより、一層収納部に商品を入れやすく、また、収納部から商品を取り出し易くすることができる。また、厚さのある商品にも対応可能となる。
【０００７】
また、請求項４に記載の発明は、請求項１〜３のいずれかに記載の展示販売用吊り下げ容器において、前記展示販売用吊り下げ容器が一枚のブランク板を組み立てることにより形成されていることを特徴とするものである。このように構成することにより、展示販売用吊り下げ容器に組み立てることが容易であるのみならず、ブランク板という単一部材であるために管理も容易である。
【０００８】
【発明の実施の形態】
上記の本発明について、具体的な実施形態を図面等を用いて以下に更に詳しく説明する。
図１は本発明にかかる展示販売用吊り下げ容器の第１の実施形態を示す平面図、図２は図１に示す展示販売用吊り下げ容器に商品を収納した状態を示す平面図、図３は図１の展開図、図４は本発明にかかる展示販売用吊り下げ容器の第２の実施形態を示す斜視図、図５は図４に示す展示販売用吊り下げ容器に商品を収納した状態を示す平面図、図６は図４の展開図、図７は本発明にかかる展示販売用吊り下げ容器の第３の実施形態を示す平面図、図８は本発明にかかる展示販売用吊り下げ容器の第４の実施形態を示す平面図、図９は図７の展開図であり、図中の１，１’，１''，１''' は展示販売用吊り下げ容器、２，２’は短冊形台紙、３，３’，４は表面板、５は糊代片、９，９’は吊り下げ用穴、10，10’，10''，10''' は収納部、11，11’，11''，11''' はブランク板、13，13’，14，14’は表面片、15，15’，15''は切線、30，30’は切込線入り折罫、31，31’，32，32’，33，34は折罫、50，50’は収容部、60，60’は糊付部、Ａ，Ｂは開口部、Ｓ，Ｓ’は商品をそれぞれ示す。
【０００９】
まず、図１は本発明にかかる展示販売用吊り下げ容器の第１の実施形態を示す平面図、図２は図１に示す展示販売用吊り下げ容器に商品を収納した状態を示す平面図であって、展示販売用吊り下げ容器１は、長辺方向の一方の端辺側に吊り下げ用穴９、９を有する短冊形台紙２上に、同形状の開口部Ａ（図２参照）が前記一方の端辺側に位置する収納部10が前記短冊形台紙２の長辺方向に重なることなく、かつ前記一方の端辺から一定寸法を確保した位置から他方の端辺まで連続して複数個設けられている。前記収納部10は商品収容部50と糊付部60とを有する左右対称な一対の表面片13、14とからなる表面板３を該表面板３の前記糊付部60で前記短冊形台紙２に貼ることにより形成される。具体的には、前記表面板３を構成する前記表面片13、14は前記短冊形台紙２の両長辺に折罫（図示せず）を介して連接され、前記糊付部60は前記表面片13、14の下方部（図１上）に位置する。また、前記表面片13、14には、前記商品収容部50と前記糊付部60との境界に切込線入り折罫30が設けられると共に、前記表面片13と14の前記短冊形台紙２の短辺方向の寸法の和が、前記短冊形台紙２の短辺方向の寸法と略等しくなるように構成され、図２に示すように商品を前記収納部10に出し入れし易く、また重量のある商品にも対応できるように構成されている。また、前記短冊形台紙２に前記短冊形台紙２の長辺方向の前記一方の端辺から一定寸法を確保して前記収納部10を設けているのは、この部分に商品の購買者にアピールする商品デザインや宣伝文言等を設けるためであり、このような購買者にアピールする商品デザインや宣伝文言等を設けないのであれば、このスペースは不要であることはいうまでもない。
【００１０】
図３は図１の展開図であって、展示販売用吊り下げ容器１のブランク板11は、長辺方向の一方の端辺側に吊り下げ用穴９、９を有する短冊形台紙２の前記一方の端辺から一定の寸法を確保した位置から前記短冊形台紙２の長辺方向の他方の端辺までの前記短冊形台紙２の両長辺に前記短冊形台紙２に対して複数個からなる表面片13、および、表面片14が折罫31、および、32を介して左右対称（図３上での左右）に連接し、前記表面片13と前記表面片14の左右方向（図３上での左右）の寸法の和は前記短冊形台紙２の短辺方向の寸法に略等しく構成され、また、前記表面片13同士、および、前記表面片14同士の境界は、切刃で断ち切られた切線15となっている。さらに、前記左右対称に配された表面片13と表面片14は、商品収容部50を形成する部分と糊付部60を形成する部分とを有し、前記商品収容部50と前記糊付部60との境界に前記短冊形台紙２に対して左右対称な切込線入り折罫30が設けられている。
【００１１】
このブランク板11は、まず、左右対称な複数個からなる前記表面片13、14を前記折罫31、32で前記短冊形台紙２の一方の面に折り重ねると共に、前記表面片13、14の前記糊付部60で前記短冊形台紙２と糊等の接着手段により接着することにより展示販売用吊り下げ容器１となる。すなわち、前記左右対称な表面片13、14で表面板３を形成し、結果としてこの左右対称な表面片13、14と前記短冊形台紙２とで一つの収納部10を形成すると共に、切線15の部分が開口部Ａとなる。前記表面板13、14に前記切込線入り折罫30を設けることにより、図３において上側から下側に前記切線15を介して連続して形成されている前記表面板13、14を貼り加工時に折罫31、32で前記短冊形台紙２上に折り重ねて行く際に、スムーズに折り重ねることができるために貼り加工の効率を向上させることもできる。
【００１２】
図４は本発明にかかる展示販売用吊り下げ容器の第２の実施形態を示す平面図、図５は図４に示す展示販売用吊り下げ容器に商品を収納した状態を示す平面図であって、展示販売用吊り下げ容器１’は、長辺方向の一方の端辺側に吊り下げ用穴９’、９’を有する短冊形台紙２’上に、同形状の開口部Ｂ（図５参照）が前記一方の端辺側に位置する収納部10’が前記短冊形台紙２’の長辺方向に重なることなく、かつ前記一方の端辺から一定寸法を確保した位置から他方の端辺まで連続して複数個設けられている。前記収納部10’は商品収容部50’と糊付部60’とを有する左右対称な一対の表面片13’、14’とからなる表面板３’を該表面板３’の前記糊付部60’で前記短冊形台紙２’に貼ることにより形成される。具体的には、前記表面板３’を構成する前記表面片13’、14’は前記短冊形台紙２’の両長辺に折罫（図示せず）を介して連接され、前記糊付部60’は前記表面片13’、14’の下方部（図４上）に位置する。また、前記表面片13’、14’には、前記商品収容部50’と前記糊付部60’との境界に切込線入り折罫30’が設けられると共に、前記表面片13’と14’の前記短冊形台紙２’の短辺方向の寸法の和が、前記短冊形台紙２’の短辺方向の寸法より小さくなるように構成され、商品を前記収納部10’に出し入れし易く、また厚さのある商品にも対応できるようにすると共に、前記収納部10’に商品を収納した際に商品の中央部が図５に示すように表出するように構成され、商品の中央部を購買者に見せたい場合に好適なものである。
【００１３】
図６は図４の展開図であって、展示販売用吊り下げ容器１’のブランク板11’は、長辺方向の一方の端辺側に吊り下げ用穴９’、９’を有する短冊形台紙２’の前記一方の端辺から一定の寸法を確保した位置から前記短冊形台紙２’の長辺方向の他方の端辺までの前記短冊形台紙２’の両長辺に前記短冊形台紙２’に対して複数個からなる表面片13’、および、表面片14’が折罫31’、および、32’を介して左右対称（図６上での左右）に連接し、前記表面片13’と前記表面片14’の左右方向（図６上での左右）の寸法の和は前記短冊形台紙２’の短辺方向の寸法より小さくなるように構成され、また、前記表面片13’同士、および、前記表面片14’同士の境界は、略Ｖの字状に切り欠かれている。さらに、前記左右対称に配された表面片13’と表面片14’は、商品収容部50’を形成する部分と糊付部60’を形成する部分とを有し、前記商品収容部50’と前記糊付部60’との境界に前記短冊形台紙２’に対して左右対称な切込線入り折罫30’が設けられている。
【００１４】
このブランク板11’は、まず、左右対称な複数個からなる前記表面片13’、14’を前記折罫31’、32’で前記短冊形台紙２’の一方の面に折り重ねると共に、前記表面片13’、14’の前記糊付部60’で前記短冊形台紙２’と糊等の接着手段により接着することにより展示販売用吊り下げ容器１’となる。すなわち、前記左右対称な表面片13’、14’で表面板３’を形成し、結果としてこの左右対称な表面片13’、14’と前記短冊形台紙２’とで一つの収納部10’を形成するものである。この収納部10’の開口部Ｂは前記表面片13’同士、および、前記表面片14’同士の境界を略Ｖの字状に切り欠いた部分となる。また、前記表面片13’と前記表面片14’の左右方向（図６上での左右）の寸法の和を前記短冊形台紙２’の短辺方向の寸法より小さくなるように構成することにより、図５に示すように商品を前記収納部10’に収納した際に商品の中央部が表出し、商品の中央部を購買者に見せたい場合に好都合である。前記表面片13’、14’に前記切込線入り折罫30’を設けた理由は、図３で説明した前記切込線入り折罫30と同じであり説明は省略する。
【００１５】
本発明の展示販売用吊り下げ容器は、上記２実施形態に限るものではなく、たとえば、図７に示すような第３の実施形態、すなわち、図１で示した第１の実施形態の表面片13、14からなる表面板３の糊付部60が連接した形態で収納部10''を形成した展示販売用吊り下げ容器１''も本発明の展示販売用吊り下げ容器に含まれるものであり、また、図８に示すような第４の実施形態、すなわち、図４で示した第２の実施形態の表面片13’、14’からなる表面板３’の糊付部60’が連接した形態で収納部10''' を形成した展示販売用吊り下げ容器１''' も本発明の展示販売用吊り下げ容器に含まれるものである。
【００１６】
図７に示す第３の実施形態を具体的に説明すると、図９は図７の展開図であって、展示販売用吊り下げ容器１''のブランク板11''は、長辺方向の一方の端辺側に吊り下げ用穴９、９を有する短冊形台紙２の前記一方の端辺側の端辺から一定の寸法を確保した位置から前記短冊形台紙２の長辺方向の他方の端辺までの前記短冊形台紙２の一方の長辺に表面板４、糊代片５が折罫33、34を介して順次連接すると共に、前記表面板４の前記折罫33と34間の寸法は前記短冊形台紙２の短辺方向の寸法に略等しく構成されている。前記表面板４の前記短冊形台紙２の長辺方向の一方の端辺側の端辺（図９において上側の端辺）は略Ｖの字形に切断された端辺からなると共に、前記端辺（図９において上側の端辺）から前記端辺（図９において上側の端辺）と対向する位置にある端辺（図９において下側の端辺）まで一定間隔で前記略Ｖの字形端辺と同形の切線15’が複数本設けられている。さらに、前記略Ｖの字形端辺および前記略Ｖの字形切線15’の先端は前記表面板４の前記折罫33と34の中心線上にあって、前記略Ｖの字形端辺および前記略Ｖの字形切線15’の先端に一方の端部が連接し、前記中心線上に沿って前記一定間隔より短く、かつ、同じ長さの切線15''が設けられると共に、前記切線15''の他方の端部から前記折罫33と34へ延びる切込線入り折罫30が設けられている。
【００１７】
このブランク板11''は、まず、折罫33で前記短冊形台紙２の一方の面に前記表面板４と糊代片５を折り曲げて前記短冊形台紙２の一方の面に重ね合わせて後に、前記折罫34で前記糊代片５を折り曲げて前記短冊形台紙２の一方の面ないし他方の面に重ね合わせると共に、前記糊代片５並びに前記切込線入り折罫30と前記切線15’とで囲まれた部分で前記短冊形台紙２と糊等の接着手段により接着することにより前記略Ｖの字形端辺および前記略Ｖの字形切線15’の部分が開口部とする収納部10''を複数備えた展示販売用吊り下げ容器１''となる。
【００１８】
図８に示す第４の実施形態についても、図７に示した第３の実施形態と同様な方法で作製可能であり説明は省略する。
【００１９】
また、開口部を形成する開口辺、たとえば、図１の第１の実施形態では、開口部Ａの開口辺は切線15のように直線で示してきたが、商品を収納部に出し入れし易く、商品を確実に保持できる形状であれば、直線に限ることはなく、意匠等から適当な形状を用いてもよい。
【００２０】
【発明の効果】
本発明の展示販売用吊り下げ容器は、個装状態の食品や化粧品等を店頭において陳列状態で販売することができると共に、従来のカレンダー貼りディスプレーといわれる形態の展示販売用吊り下げ容器において問題であった個装状態の食品や化粧品等を容易に陳列状態にすることができないといった問題、また、商品の取り出しや元に戻すことも容易でないといった問題、さらに購買者に不快感を与えるといった問題をすべて解決することができるという効果を奏するものである。
【図面の簡単な説明】
【図１】  本発明にかかる展示販売用吊り下げ容器の第１の実施形態を示す平面図である。
【図２】  図１に示す展示販売用吊り下げ容器に商品を収納した状態を示す平面図である。
【図３】  図１の展開図である。
【図４】  本発明にかかる展示販売用吊り下げ容器の第２の実施形態を示す斜視図である。
【図５】  図４に示す展示販売用吊り下げ容器に商品を収納した状態を示す平面図である。
【図６】  図４の展開図である。
【図７】  本発明にかかる展示販売用吊り下げ容器の第３の実施形態を示す平面図である。
【図８】  本発明にかかる展示販売用吊り下げ容器の第４の実施形態を示す平面図である。
【図９】  図７の展開図である。
【符号の説明】
１，１’，１''，１'''       展示販売用吊り下げ容器
２，２’                    短冊形台紙
３，３’，４                表面板
５                          糊代片
９，９’                    吊り下げ用穴
10，10’，10''，10'''       収納部
11，11’，11''，11'''       ブランク板
13，13’，14，14’          表面片
15，15’，15''              切線
30，30’                    切込線入り折罫
31，31’，32，32’，33，34  折罫
50，50’                    収容部
60，60’                    糊付部
Ａ，Ｂ                      開口部
Ｓ，Ｓ’                    商品
【図１】
0004286943.tif 000002
【図２】
0004286943.tif 000003
【図３】
0004286943.tif 000004
【図４】
0004286943.tif 000005
【図５】
0004286943.tif 000006
【図６】
0004286943.tif 000007
【図７】
0004286943.tif 000008
【図８】
0004286943.tif 000009
【図９】
0004286943.tif 000010